(57)【特許請求の範囲】
【請求項１】
石綿含有物を対象としてその表面の特定部位からの石綿発塵量を測定するための装置であって、
測定対象部位の周囲を気密裡に覆うカバーと、
カバー内の空気を吸引するための吸気管と、
該吸気管の先端部に装着されてカバー内に配置され、吸気管により吸引される吸気中の石綿塵埃を捕集するメンブランフィルターと、
該吸気管の基端に接続された吸気ポンプと、
該吸気ポンプによる吸気量を測定する流量計と、
前記カバーを貫通して設けられ、前記吸気ポンプによる吸引力によってカバー外の空気をその先端から測定対象部位に噴射状態で吹き付ける噴射管と、
該噴射管の基端部に装着されたメンブランフィルターとを具備してなることを特徴とする石綿発塵量の測定装置。
【発明の詳細な説明】
【技術分野】
【０００１】
本発明は、石綿含有物を対象としてその表面からの石綿発塵量を測定するための装置に関する。
【背景技術】
【０００２】
周知のように、石綿（アスベスト）は優れた物性を備えていることから過去には建材をはじめとして各方面で広く利用されてきたが、近年、その粉塵が重大な健康被害をもたらすことが明らかになり、大きな社会問題となっている。
石綿粉塵対策を講じるうえでは環境大気中の石綿粉塵濃度を把握することが不可欠であり、そのため、環境大気中のアスベスト濃度を測定するための技術的指針として「アスベストモニタリングマニュアル」が策定されている（非特許文献１参照）。
【非特許文献１】「アスベストモニタリングマニュアル（改訂版）」、環境庁大気保全局大気規制課、平成５年１２月、ｐ.１−６
【発明の開示】
【発明が解決しようとする課題】
【０００３】
上記マニュアルに規定されている石綿粉塵濃度の測定手法は、測定対象地点において大気を長時間にわたって連続的にサンプリングして捕集用ろ紙（メンブランフィルター）に通すことによって大気中の石綿粉塵量を測定することを基本とするものである。
しかし、そのような測定手法では測定対象地点付近の大気中の平均的な濃度は測定できるものの、たとえば特定の建材からの発塵量を直接的に測定したり、あるいは発塵箇所を特定するようなことはできるものではない。
したがって、上記のような測定手法のみでは必ずしも充分ではなく、より高度の対策を講じるうえでは、単に環境大気中の平均的な濃度測定のみならず、特定の部材からの石綿発塵量を直接的に測定したり、さらには石綿発塵の可能性やそれに至るような建材の劣化の程度をも把握し得るような測定手法の確立が必要ともされている。
【０００４】
上記事情に鑑み、本発明は石綿含有物を対象としてその表面からの石綿発塵量を直接的に測定し得る有効適切な測定装置を提供することを目的としている。
【課題を解決するための手段】
【０００５】
本発明は、石綿含有物を対象としてその表面の特定部位からの石綿発塵量を測定するための装置であって、測定対象部位の周囲を気密裡に覆うカバーと、カバー内の空気を吸吸引するための吸気管と、該吸気管の先端部に装着されてカバー内に配置され、吸気管により吸引される吸気中の石綿塵埃を捕集するメンブランフィルターと、該吸気管の基端に接続された吸気ポンプと、該吸気ポンプによる吸気量を測定する流量計と、前記カバーを貫通して設けられ、前記吸気ポンプによる吸引力によってカバー外の空気をその先端から測定対象部位に噴射状態で吹き付ける噴射管と、該噴射管の基端部に装着されたメンブランフィルターとを具備してなることを特徴とする。
【発明の効果】
【０００６】
本発明の測定装置によれば、測定対象部位をカバーにより覆ったうえでその内部から吸気管を通して吸気ポンプにより吸気を行うことにより、その吸引力によってカバー外の空気を噴射管を通してカバー内に吸引して測定対象部材に噴射させることができ、その噴射空気流によって測定対象部位から強制的に発塵させ、発塵量の全量を吸気管の先端部に装着したメンブランフィルターにより捕集可能である。
そして、強制発塵させて捕集した石綿の捕集量を測定することにより、測定対象部位からの石綿発塵量を吸気量と関連づけて定量的に求めることができ、各部位で同様の測定を同一条件で行うことによって各部位からの石綿発塵量を定量的に比較することが可能であり、各部位の劣化の有無や程度も推定し把握することができ、その結果を石綿含有物を解体したり補修するに際して有効に活用することが可能である。
勿論、測定対象部位をカバーにより気密裡に覆った状態で測定を行い、強制発塵させた石綿の全量をメンブランフィルターにより捕集し、しかも噴射管の基端部にもメンブランフィルターを装着しているので、測定に際して石綿を周囲に飛散させてしまうようなことを確実に防止することができ、高精度かつ安全な測定作業が可能である。
【発明を実施するための最良の形態】
【０００７】
図１は本発明の実施形態である測定装置の概略構成図である。これは、各種の石綿含有物、たとえば図示例のように表面に石綿による耐火被覆がなされている鉄骨梁等の構造部材を測定対象物１として、その表面の特定部位からの石綿の発塵量を直接的に測定するためのもので、測定対象部位の周囲を気密裡に覆うカバー２と、カバー２内の空気を吸引うるための吸気管３と、吸気管３の先端部に装着されてカバー２内に配置されて吸気中の石綿塵埃を捕集する捕集機構４と、吸気管３の基端に接続された吸気ポンプ５と、吸気ポンプ５に内蔵されて吸気量を測定する流量計６と、カバー２を貫通して設けられて吸気ポンプ５による吸引力によってカバー２外の空気をその先端から測定対象部位に噴射状態で吹き付ける噴射管７と、噴射管７の基端部に装着された捕集機構８とを具備してなるものである。
【０００８】
本実施形態におけるカバー２は１面が開放された箱型ないしカップ状のものであって、その素材は適宜であるがたとえば塩ビ材やアクリル材あるいは金属製のものが好適に採用可能である。開口部の周囲にはシリコンゴム等の柔軟な材料によるシール部材９を取り付けておくと、測定対象物の表面に凹凸や不陸があるような場合にも隙間が生じることがない。
図１では高さ調整用のアジャスター１０ａ付きの三脚からなるスタンド１０を用いて、カバー２を床面から支持して測定対象物１の下面に押し当てた状態で装着するものとしているが、測定対象物１に対するカバー２の装着の形態は測定対象部位の位置や向きに応じて適宜変更すれば良く、可能であれば作業員の手作業によりカバー２を押さえることでも良い。
【０００９】
吸気管３としてはたとえば内径６ｍｍ程度の柔軟なパイプ材が好適に採用可能であり、その先端は同径程度の接続管３ａとされてカバー２を気密裡に貫通しており、接続管３ａの先端には上記の捕集機構４が接続されてカバー２内に配置されている。
捕集機構４はメンブランフィルターをホルダに内蔵した構成のものであって、たとえば公知の２５ｍｍ径のオープンフェイス形ホルダが好適に採用可能であるが、いずれにしても吸気中の石綿粉塵の全量を捕集可能なものを用いる。
【００１０】
吸気ポンプ５はカバー２内から捕集機構４および吸気管３を通して所望量の空気を吸引し、かつそれに伴って噴射管７を通してカバー２内に空気を吸引して測定対象部位に所定風速で噴射させることができるものであり、そのために必要な吸引力を有するものである。
なお、図示例では吸気ポンプ５に流量計６を一体に組み込んでいるが、流量計６を吸気ポンプ５とは別に用意してそれを吸気ポンプ５の吸引側あるいは吐出側に接続することでも良い。
【００１１】
噴射管７はたとえば内径３〜６ｍｍ程度の金属管が好適に採用可能であり、カバー２を気密裡に貫通してその先端が測定対象部位に臨んでおり、基端には上記の捕集機構４と同様にメンブランフィルターを内臓した捕集機構８が装着されているものである。
したがって、吸気ポンプ５を運転することによりその吸引力によってカバー２外の空気が捕集機構８を通して清浄化されたうえで噴射管７に吸引され、その空気流は噴射管７の先端より所定流速で測定対象部位に噴射され、そのような噴射空気流によって測定対象部位の表面の石綿が強制的に吹き飛ばされ、カバー２内において強制的に発塵を生じさせることができるものとされている。
なお、噴射管７からの噴射空気流の噴射流速は適宜設定すれば良いが、たとえば噴射管７の内径が３ｍｍの場合に噴射流速を５ｍ／ｓとすると良く、その場合の噴射空気量は理論的には２．１１９５Ｌ／ｍｉｎとなるが、これは漏洩がなければ吸気ポンプ５による吸気量（流量計６により計測値）に合致する。
【００１２】
上記構成の測定装置による測定は、測定対象部位にカバー２を装着してその周囲を気密裡に覆い、吸気ポンプ５を運転してカバー２内の空気を吸気管３により吸引することで行う。
これにより、上述のように噴射管７からの噴射空気流が所定風速で測定対象部位に吹き付けられ、表層部の石綿が吹き飛ばされて微量な発塵が生じ、カバー２内に飛散した石綿粉塵はカバー２内の空気とともに捕集機構４に吸引されてその全量が捕集され、石綿粉塵が捕集された後の清浄な空気のみが吸気ポンプ５に吸引されて系外に排気される。
そこで、所定時間の運転の後、運転を停止して捕集機構４からメンブランフィルターを取り出し、それを分析して捕集量（すなわち強制的に発塵させた石綿粉塵量）を測定する。また、運転時間中の吸気量を流量計６により測定する。
【００１３】
以上により、噴射空気流によって測定対象部位から強制的に発塵させた石綿発塵量を、吸気量（＝噴射空気量）と関連づけて直接的にしかも定量的に求めることができる。したがって、各部位で同様の測定を同一条件で行うことにより、各部位からの石綿発塵量を定量的に比較することが可能であり、そのことから各部位からの発塵量の多寡を定量的に把握でき、各部位の劣化の有無や程度も推定することができ、その測定結果を石綿含有物に対する解体や補修に際して有効に活用することが可能である。
【００１４】
勿論、石綿を強制的に発塵させるとはいえ、測定対象部位をカバー２により気密裡に覆ったうえでその内部のみで発塵させるものであるし、強制発塵させた石綿の全量は捕集機構４（メンブランフィルター）により完全捕集可能であり、さらに噴射管７にも同様の捕集機構８を設けているので、噴射管７に吸い込まれる外気は自ずと清浄化されるばかりでなく、測定に際して強制的に発塵させた石綿粉塵が不用意に噴射管７を通って周囲に飛散してしまう恐れもなく、高精度であるばかりでなく安全な測定を行うことが可能である。
しかも、装置全体の構成は極めて簡単であって安価な汎用製品の組み合わせにより安価に製作できるし、測定作業も何ら面倒で複雑な手順を要するものではないから作業員１人でも簡易に実施できるものであり、以上のことから石綿含有物の劣化度を診断するためのツールとして極めて有効である。
【００１５】
なお、上記実施形態のように構造部材に耐火被覆として吹き付けられている石綿を対象とするような場合には、上記で例示したように、内径３〜６ｍｍの噴射管７を用いて５ｍ／ｓ程度の噴射流速で吹き付けることが好適であると考えられるが、噴射管７の口径やそこからの噴射流速の設定は、測定対象物の材質や用途、測定目的、その他の諸条件を考慮して任意に設定すれば良く、特に噴射流速についてはたとえば０．５ｍ／ｓ程度の微風速から１５ｍ／ｓ程度の強風速までの範囲で自由に設定すれば良い。
いずれにしても噴射管７の内径と噴射流速を決定すれば理論的には単位時間当たりの噴射空気量（＝カバー２内からの吸気量）は自ずと決定され、あとは測定時間を決定すれば自ずと測定中の総送気量が決定されるから、噴射管７の口径と噴射流速を固定すれば吸気量を直接的に測定せずとも測定時間のみをパラメーターとして測定を行うこともできる。したがって、大量の発塵が想定されるような場合には運転時間を短くしてメンブランフィルターに過度の石綿が付着しないように調整すれば良く、その場合にも運転時間と捕集量から発塵量を精度良く測定することができる。
【図面の簡単な説明】
【００１６】
【図１】本発明の実施形態である測定装置の概略構成図である。
【符号の説明】
【００１７】
１  測定対象物
２  カバー
３  吸気管
３ａ  接続管
４  捕集機構（メンブランフィルター）
５  吸気ポンプ
６  流量計
７  噴射管
８  捕集機構（メンブランフィルター）
９  シール部材
１０  スタンド
１０ａ  アジャスター
【図１】
0004904591.tif 000002